(57)【要約】      （修正有）【課題】固定したい物に応じて調整することが可能な、クリップボード等で筆記用具や付箋、定規等を固定し、作業効率を向上させる器具を提供する。【解決手段】ゴム管を巻いた針金２で、手の形を象った固定部分４と、クリップボード５等に固定するフック部１を設け、固定部分を固定したい物に応じて指を折り曲げたり拡げたりして調整する。【選択図】図１
2014226927.tif 000002
【特許請求の範囲】
【請求項１】
ゴム管を巻いた針金による、クリップボード等にフックで固定する、筆記用具、付箋、定規等を固定する器具
【請求項２】
さらに、手の形を象った固定部分で固定する請求項１の固定器具
【請求項３】
さらに、手の形を象った固定部分を折り曲げ又は拡げ等することによって固定しようとする物の大きさ等に応じ、「グー」「チョキ」「パー」等といった具合に調整可能な請求項１の固定器具。
【請求項４】
さらに、手の形を象った固定部分を折り曲げ又は拡げ等することによって固定しようとする物の大きさ等に応じ、「グー」「チョキ」「パー」等といった具合に調整する代わりに、予め「グー」「チョキ」「パー」等の形になった固定部分の器具を入れ替えて使用することも可能な請求項１の器具
【請求項５】
さらに、ゴム管や針金を、用途に応じ色や太さ、柔らかさや材質等を使い分けた請求項１の固定器具。
【請求項６】
さらに、図では、図が意味するのを明らかにする為、敢えて大きめに表現したが、大小の寸法をも含む請求項１の表示。
【発明の詳細な説明】
【技術分野】
【０００１】  本発明は、ゴム管を巻いた針金による、手の形で固定したい物に応じて指を折り曲げたり拡げたりして調整することが可能なクリップボード等の筆記用具や付箋等固定器具に関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。  また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。  この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。  耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。  これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００３】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００４】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考えた。  フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならい固定観念を捨て、フックも形状が変えられても良い発想に気が付いた。作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
【０００５】  クリップボードに関して、筆記用具等を収納する優れた先人の特許が既に存在する。［登録実用新案第３１４０３２５号］クリップボードクリップボードの板面背面に袋状の収納部を設け、必要な書類やメモ・筆記用具を収納可能なポケット状の収納部を設けた。［出願番号：実用新案出願平１１−３４２３］［登録実用新案第３０６４００３号］  筆記用具の収納機能があり優れている。  クリップボードは、通常は手で持ち抱え斜めに傾け、用紙をクリップに止めつつもう片方の手で書き留め作業等を行うことが考えられる。複数の筆記用語を、斜めに傾けたボード上を転げることなく、且つ片手で筆記用具を交換しつつ片手でボードを抱える動作が可能なことが、自分の作業経験から必要と感じていた。それを可能にするのは、片手で筆記用具を差し入れ固定する、付箋や定規も差し入れて固定するといった簡単な動作で固定可能な器具であると考えられる。また、クリップボードでの作業は、使用する用具も太さが多様な諸筆記用具、大きさが多様な付箋、長さが多様な定規と単純ではない。よって、固定部分を人間の手のように曲げたり拡げたりして固定したい物に応じて調整可能なら、活用性も高まる。このような、クリップボード上で使用可能な固定器具を見出すことができなかった。
【発明が解決しようとする課題】
【０００６】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。  また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。  この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。  耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。  これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００７】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００８】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考えた。
【課題を解決するための手段】
【０００９】  フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならい固定観念を捨て、フックも形状が変えられても良い発想に気が付いた。
【００１０】  作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
【発明の効果】
【００１１】  固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックとなり、単にとぐろ状、コイル状の筆記用具固定部分のフックよりも、付箋、定規等が固定でき、クリップボードを用いた作業効率が高まった。  作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能となった。
【図面の簡単な説明】
【００１２】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の正面図である。
【図８】夲発明の後面図である。
【図９】本発明の断面図である。
【図１０】本発明の断面図である。
【図１１】本発明の断面図である。
【発明を実施するための形態】
【００１３】本発明を実施するための形態を説明する。
【符号の簡単な説明】
１  フック部２  針金を巻いたゴム管３  筆記用具４  筆記用具等固定部５  クリップボード６  付箋７  定規
【図１】
2014226927.tif 000003
【図２】
2014226927.tif 000004
【図３】
2014226927.tif 000005
【図４】
2014226927.tif 000006
【図５】
2014226927.tif 000007
【図６】
2014226927.tif 000008
【図７】
2014226927.tif 000009
【図８】
2014226927.tif 000010
【図９】
2014226927.tif 000011
【図１０】
2014226927.tif 000012
【図１１】
2014226927.tif 000013